(57)【要約】      （修正有）【課題】プロの技術を持たない人も簡単に同寸、同型、同厚にヘルシー揚げ物を作ることが可能なヘルシー揚げ物用トングを提供する。【解決手段】ヘルシー揚げ物用トングは、ヘルシー揚げ物用型とヘルシー揚げ物用材料載置台を挟み器具のトングにした共にペアーでヘルシー揚げ物を作る。持ち手の先に１対の柄を延ばして上の部分の柄にはヘルシー揚げ物用型を接合、柄の下の部分にはヘルシー揚げ物用材料載置台を接合した。１対の柄を長く延ばしたことで、料理を作っている際に天麩羅油が飛び跳ねることがある場合でも天麩羅油の鍋から離れていることで火傷もなく安全に料理できる。【選択図】図１
0003142517.tif 000002
【実用新案登録請求の範囲】
【請求項１】
ヘルシー揚げ物用トングは、持ち手の支店の先に１対の柄を延ばして、上の部分にヘルシー揚げ物用型を下の部分にヘルシー揚げ物用材料載置台を接合し挟み器具ノトングにした、図面１の状態でヘルシー揚げ物用材料を詰め柔らかい固形状態に作り、図面２でヘルシー揚げ物用型を持ち上げて取り出し天麩羅油で揚げる。図面１−７の９と図面１−７の１０に凸を作り柄が必要以上に開かない安全対策を特徴とするヘルシー揚げ物用トング。
【請求項２】
ヘルシー揚げ物用トングは、大小の持ち手を分離し大きい持ち手の柄を立ち上げて、立ち上げた上に小さな持ち手の柄を通し上下に動かせる方法で止める、１対の柄を伸ばした上部分はヘルシー上げ物用型を下の部分にヘルシー揚げ物用材料載置台を接合し挟み器具のトングにした、図面３の状態でヘルシー揚げ物用材料を詰め柔らかい固形状態に作り、図面４でヘルシー揚げ物用型を持ち上げて取り出し、天麩羅油で揚げる、図面４−７の９は凸になり図面４−７の１０は凹になり大きい持ち手の図面４−７の１０に図面４−７の９は納まり必要以上に柄が開かない安全対策を特徴とする請求項１記載のヘルシー揚げ物用トング。
【請求項３】
ヘルシー揚げ物用トングはヘルシー揚げ物用の専用型を持つ、極端な表現をすると円すい台で上の口径より下の口径が大きい円すい台や台形の形態のヘルシー揚げ物用型である、ヘルシー揚げ物用型の内部に縦や横の区切りを設け１度に沢山固形状態に作れるヘルシー揚げ物用型で内部の隣リ合う広げられない部分は現状維持とする請求項１〜２記載の柄に付けたヘルシー揚げ物用トング。
【請求項４】
ヘルシー揚げ物用トングはヘルシー揚げ物用の専用型を持つ、円すい台や台形のように底面に傾斜した形態のヘルシー揚げ物用型で底面同志が隣合う部分だけを接合して連結させた独特の形態をしたヘルシー揚げ物用型、始めから連結した形態の１体成形も可能な請求項１〜３記載のヘルシー揚げ物用トング。
【請求項５】
ヘルシー揚げ物用トングのヘルシー揚げ物用型で（請求項３）に記載のヘルシー揚げ物用型と（請求項４）に記載のヘルシー揚げ物用型に柄をつけない単独で使う型、お菓子づくり用に、粘土の型抜きや形づくり用の単独に１個単位で利用できる請求項１〜４記載のヘルシー揚げ物用型。
【考案の詳細な説明】
【技術分野】
【０００１】  本考案は、ヘルシーな食品であるが家庭で料理するものに考えられているベトベトする納豆、ツルツルする長芋、ネルヌルするもぞく等の材料を簡単に家庭で、職場の社員食堂で、大勢の人の食事を賄う所、そして、デパートのデパ地下の食品に、スーパーの食品に、お弁当屋さんのメニューに対応できるヘルシー揚げ物用トングに関するものである。ヘルシー揚げ物用トングは、ヘルシーと言われる食品と共に、旬の野菜、旬の山菜、旬の魚介類等を使って食べやすいサイズのヘルシー揚げ物を作るものである。
【背景技術】
【０００２】  従来から日本人は、天麩羅やかき揚げを好む人は多い、大きな駅では立ち蕎やうどんがあり天麩羅とかき揚げのメニューがある。観光名所や温泉地には、ほとんど名物の手打ち蕎があり天麩羅や旬のかき揚げが付き人々は美味しく食べて満足している。
カップ麺には天麩羅がカップの中に入っている商品も多くお店に沢山陳列されている。このように、揚げ物は多くの人に愛されている。ところが上記した特殊な食品が主役になっている揚げ物は惣菜部門で販売されていないのが現実である。
【考案の開示】
【考案が解決しようと課題】
【０００３】  上記したような、特殊な食品の納豆等は朝食べると匂いが気になり食べられない人も多い、本発明のヘルシー揚げ物用トングでは特殊な食品も１日中に何時でも、何処でも気にせずに食する事ができる。納豆の独特の匂いも気にならずに揚げた暖かい物を大根おろしで醤油でぽんず等の適宜な調味料で美味しくいただける。
次に、特殊な長芋やもずくや豆腐やおから等も固形状に作り簡単に同寸、同型に、同厚に、ヘルシー揚げ物用トングで見栄えの良い美味しい揚げ物を作ることができる。又、長芋やもずくや豆腐やおから等、体に良いとわかっていても料理する時間のない人、幼い子供達がいることで熱い天麩羅油の鍋がとても危険で揚げ物ができない人、多くの人は家庭では揚げ物ができない様々な事情をもっている。
本発明のヘルシー揚げ物用トングを家庭の便利な道具に、産業用では大勢の人の食物を作りやすいヘルシー揚げ物用トングにして手首に負担をかけないサイズと重さに作る必要がある。そして、上記したようなヘルシー揚げ物を多くの食事を作る所では簡単に使うことが可能になりデパートのデパ地下の食品にスーパーの食品に、お弁当屋さんのメニューに作り自由に必要な時に買うことができたら多くの人に喜ばれる、健康にも大変よい。又、産業においても多くの需要ができ産業面においても恩恵は色々の面にある。
【０００４】  本考案のヘルシー揚げ物用トングでは、旬の野菜、旬の山菜、旬の魚介類等に上記した食品と組み合わせて高級にも、てごろな値段で美味しく作ることができる。
例えば、揃った等級のよい材料を使い美味しさを凝縮したヘルシー揚げ物も作れる。次に、美味しい旬の材料も不揃いで等級が下がり安価に手に入るものと日常の定番の商品と組み合わせて予算に合わせた美味しいヘルシー揚げ物を作る方法は色々と沢山ある。
以後より、上記したような食品や旬の野菜、旬の山菜、旬の魚介類等などを使ってヘルシー揚げ物用に準備が整いヘルシー揚げ物にできる状態の物をヘルシー揚げ物用材料と短く記したい。
【０００５】  本考案のヘルシー揚げ物用トングでは、１口、２口で食べられる、食べやすいサイズに、ヘルシー揚げ物用型を連結させた色々の形態のヘルシー揚げ物用型を考案した。このヘルシー揚げ物用型では、同寸、同型に、同厚に作れる。このヘルシー用型を接合したヘルシー揚げ物用トングはプロの腕前がなくても誰でも簡単にヘルシー揚げ物を作れる。ヘルシー揚げ物の手順を図面１９〜図面２４に記載した下記で詳しく説明したい。
【０００６】  食べやすい１口、２口のサイズを作るヘルシー揚げ物用型を図面６〜図面１８に記載したヘルシー揚げ物用の専用型を下記で説明したい。
本考案のヘルシー揚げ物用型は、ヘルシー揚げ物用材料で角砂糖のように固形にする、ただし、角砂糖のように固い固形ではなく、柔らかな固形状態である。上記した食品や旬の様々な材料を使い細かく刻み小麦粉を溶き混ぜ合わせて作る固形の状態である。
ヘルシー揚げ物用の小麦粉の溶き方は、従来の天麩羅のように緩い小麦粉の溶き方でない、かき揚げ天麩羅の小麦粉も溶き方より多少は固めに溶く必要がある。準備のできたヘルシー揚げ物用材料に小麦粉を溶き混ぜ合わせヘルシー揚げ物用トングに詰めてヘルシー揚げ物用型で上記したように柔らかい固形状態に作った物を天麩羅油の鍋で揚げ物にするものである、均等に同じく作られており揚げあがりの時間も同時に揚げ揚がり大変に便利で良い。
ヘルシー揚げ物用型で同寸、同型、同厚に作られ、火通りも均等でコンガリと美味しいヘルシー揚げ物を誰でも作ることができる。
【０００７】  本考案のヘルシー揚げ物用トングの第１の考案を図面１に記載、第２の考案を図面３に記載した、ヘルシー揚げ物用トングのヘルシー揚げ物用型を図６〜図１８に記載した。
ヘルシー揚げ物用トングは、ヘルシー揚げ物用型とヘルシー揚げ物用材料載置台を挟み器具のトングにした共にペアーでヘルシー揚げ物を作る。鋏の刃物を止めて、持ち手の先に１対の柄を延ばして上の部分の柄にはヘルシー揚げ物用型を接合、柄の下の部分にはヘルシー揚げ物用材料載置台を接合した。第１の考案と第２の考案の機能は同様であるが、持ち手の部分だけ少し異なる持ち方をする使いやすい方を選ぶことができる。
１対の柄を長く延ばしたことで、料理を作っている際に天麩羅油が飛び跳ねることがある場合でも天麩羅油の鍋から離れていることで火傷もなく安全に料理できる。
【問題を解決するための手段】
【０００８】  上述した目的を達成するための第１の考案（請求項１記載の考案）に係わるヘルシー揚げ物用トングの全長は３０〜３２ｃｍに止める。産業用では３０〜３５ｃｍに止める。ヘルシー揚げ物用型の接合は、縦と横の使いやすい方向に接合できる、産業用では大きい天麩羅油の鍋で沢山作ることでヘルシー揚げ物用型を大きく作り中の縦の区切りと横の区切りを多くしてもよい、ただし、角砂糖の固形と異なり、小麦粉を溶いてヘルシー揚げ物用材料と混ぜ合わせた物であり、材料によりヘルシー揚げ物用トングのヘルシー揚げ物用材料載置台から滑りにくい物もあり適宜なヘルシー揚げ物用型の数も大事である。
【０００９】次に、ヘルシー揚げ物用トングの持ち手の部分の１対の柄の間隔に関する、この部分は図面１−１６と図３−１６で家庭用も産業用も２０〜２５ｍｍに止める。この上下の間隔も平たい柄と丸い柄では付け方も違ってくる、丸い柄がお洒落になるが都合のよい適宜でよい。
また、ここで大事なことはヘルシー揚げ物用型の高さである、ヘルシー揚げ物用型の高さにより持ち手の１対の柄の間隔が問題になる、ヘルシー揚げ物用型の高さを１０〜２５ｍｍメートに止める、この幅は幼い子供達も食べやすい大きさがある、大人の食べやすい大きさもあることから幅をもたせた、柄の上部分と下部分の間隔は鋏式の持ち手で１対にして柄を延ばした構造状の問題もあるが間隔も大事で、高さを変える方法はいろいろなやり方がある。ヘルシー揚げ物用型を１０〜１５ｍｍに作る場合には上部分のヘルシー揚げ物用型を接合する所の柄を曲げて下に下げて、ヘルシー揚げ物用材料載置台に合わせる方法もある、又反対にヘルシー揚げ物用材料載置台の接合部分を持ち上げる方法で作っても構わない。上下の柄の間隔の取り方ではもつと異なる作り方もあり説明したい。
次に、記載する方法はヘルシー揚げ物用材料載置台の部分に足台を付けて対応する、ヘルシー揚げ物用台を裏側に折り曲げて５〜１０ｍｍまで高くする、柄の接合部分で対応する折り曲げは臨機応変の方法でもよい。
幼い子供達用はヘルシー揚げ物用型の高さの都合で間隔を狭めても可能にする。
【００１０】  次に、ヘルシー揚げ物用トングの素材に関しては、使いやすさと後の洗い物が便利にできるステンレスは適宜と考える。従来から使われている素材や新しい物も身体に安全な素材を条件に大いに利用したい。
【００１１】  上述した目的を達成するための第２の考案（請求項２記載の考案）に係わるヘルシー揚げ物用トングは図面３〜図面５に記載、持ち手を大小に分離し大きい持ち手の柄を立ち上げ、立ち上げた上に小さい方の柄を貫通させ通し載せて上下に上げ下げできる状態で上から止める、大きい持ち手に凹を作り、小さい持ち手は凸で図面４−１０に図面４−９が凹凸の関係になり納まる、柄を必要以上に開かない安全対策である。また、図面４−Ｘの部分の開き具合の調整をとる部分で凹の部分を浅くも深くもすることで調整できる。
第１の考案も第２の考案も持ち手の部分が異なるだけで機能は同様である。
【００１２】  上述したように、ヘルシー揚げ物用トングはヘルシー揚げ物用の専用型がある、図面６〜図面１８に記載したヘルシー揚げ物用型に関する。図面６の−（ａ）は上部分の口径である。（ｂ）は下部分の口径である。（１）では（ａ）と（ａ’）は円柱で底面に傾斜した形の（ａ）（ｂ）では円すい台になる。ヘルシー揚げ物用トングは円すい台や図面７の台形のように底面を大きくした形態のヘルシー揚げ物用型で、単独で使う物と単独同志の底面を連結させた物と円すい台の内部に区切りを作った物と台形の内部に区切りを作ったヘルシー揚げ物用型がある。
【００１３】  上述したように、ヘルシー揚げ物用型を連結した図面８−１２はヘルシー揚げ物用型の縦の区切り、図面８−１３は横の区切りである、内部の区切りで隣り合う部分は広げる余地のない場合は現状維持とする。例えば、円柱から円すい台では傾斜がある。円すい台も台形図面９も同様に傾斜を底面にある、底面の４方の外側へは出せる部分の外側に向かって２〜３ｍｍ迄広く作る。
次に、ヘルシー揚げ物用材料載置台は図面９−１５は平面形成で全体に細かい穴を満遍なく開ける、穴の幅は２ｍｍ以内にする。そして、ヘルシー揚げ物用材料載置台はヘルシー揚げ物用型より１周り大きく５〜８ｍｍ広くヘルシー揚げ物用型を安全に載せられるように作る。
【００１４】  次に、ヘルシー揚げ物用トングのペアーを記したい。図面に記載した他のヘルシー揚げ物用型もヘルシー揚げ物用型と同様の機能を持たせたものであれば作ることができる。
Ａ，Ａは台形の内部を立方体の形態に区切りをしたヘルシー揚げ物用型、Ｂはペアー。
Ｃ、Ｃは台形の内部を直方体の形態に区切りをしたヘルシー揚げ物用型、Ｄはペアー。
Ｅ、Ｅは円すい台の内部を区切り三角柱の形態にしたヘルシー揚げ物用型、Ｆはペアー。
Ｇ、Ｇは台形の内部を区切り三角柱の形態にしたヘルシー揚げ物用型、Ｈはペアー。
Ｉ，Ｉは円すい台を底面の隣合う部分のみ連結したヘルシー揚げ物用型。
Ｊ，Ｊは上より底面に２〜３ｍｍ傾斜をさせ隣合う部分だけ垂直にして接合させた木の葉や花の葉をモチーフに作るヘルシー揚げ物用型。
Ｋ，Ｋは上より底面に２〜３ｍｍ傾斜をさせ隣合う部分だけ垂直にして接合させた野菜をモチーフに作るヘルシー揚げ物用型。
Ｌ、Ｌは上より底面に２〜３ｍｍ傾斜をさせ隣合う部分だけ垂直にして接合させた魚をモチーフに作るヘルシー揚げ物用型。
【００１５】次に、図面１９〜図面２４の説明を記したい。
（イ）  ヘルシー揚げ物用材料の準備が整った物。
（ロ）  料理に用いるバット（琺瑯引きステンレスや金物のボールや鍋等）を下にする。
（ハ）  木ベラ、金ベラ、ケーキ用ナイフ等の適宜な道具を使い詰める。
（ニ）  ヘルシー揚げ物用トングを持って作った物を天麩羅油の鍋に入れ揚げ物に。
（ホ）  固形状に同寸、同型に、同厚にできカラリと美味しく作られたヘルシー揚げ物。
（ヘ）  図面２４はヘルシー揚げ物用トングを持って天麩羅油の鍋に傾けて滑らない時には、金ベラ等の適宜な道具を使って静に天麩羅油の鍋に挿入する。
【００１６】  ここで、簡単にシンプルに上記の食品や様々な材料を使ったヘルシー揚げ物の準備。
１、  納豆は、葱を細かく刻み、シラスや削節を入れて、小麦粉を溶き合わせる。
２、  長芋は、磨りおろし大葉を刻み胡麻又は、粉茶を入れて、小麦粉を溶き合わせる。
３、  もぞくは、人参、牛蒡、椎茸等を刻んで、小麦粉を溶き合わせる。
４、  おからは、ひじきと野菜や蒟蒻や挽肉等を煮て、小麦粉を溶き合わせる。
５、  豆腐は、手で潰して細かい桜海老や大葉を刻み、小麦粉を溶き合わせる。
味付けを最初にする方法と食べる時に大根おろしや、ぽんずや、醤油等の適宜な調味料等で頂く方法もある。
【考案を実施するための最良の形態】
【００１７】  以下、本考案を実施するための最良の形態を、図面を参照しながら説明する。まず、実施の形態に係わる第１の実施のヘルシー揚げ物用トング図面１は鋏式の持ち手は鋏を使う要領で動かし図面１−７と図面１−８で開閉操作すると、１対の柄の先に接合してあるヘルシー揚げ物用型とヘルシー揚げ物用載置台を開く構造である。
図面２では、開閉操作で開いたものである。図面２−７の９と図面２−７の１０に凸を付けた、この凸は開閉操作する際は急に柄が開き過ぎると天麩羅油の鍋の中にも入れることがある熱い部分が急に開くと大変危険である為にお互いの凸の部分で止める安全対策である。図面２−Ｘの部分の開く間隔はヘルシー揚げ物用材料を固形状に作り揚げ物をする際にヘルシー揚げ物用載置台に小麦粉の粘着力で滑りにくい物を、料理する人が金ベラ等の道具を使う際の必要な空間である。【００１８】  次に、実施の形態にかかわる第２の実施のヘルシー揚げ物用トングは図面３で示すように、大小の持ち手があり大きい持ち手の先を立ち上げ、立ち上げた上に小さい持ち手の柄に貫通した穴を開け通し上部分から止める。小さい持ち手を持ち上げた部分に載せた柄はシーソーのように上下に上げ下げできる構造である。
次に、図面４−７の９は図面４−８の１０の凹に納まり大小の持ち手はお互いに凹凸の関係で急に柄を持ち上げたりした場合の危険から守る安全対策。持ち手の部分を開閉操作した際に図面４−Ｘの部分に空間を作る、［００１７］で記した同じ理由である、ここの間隔を１２〜１５ｃｍに止める、この間隔は家庭用では１２ｃｍほどが適宜。この間隔は第１の考案も第２の考案も同様である。【００１９】  ここで、図面６〜図面１８のヘルシー揚げ物用型に間して記したい。ヘルシー揚げ物用型は上記したように図形の形で円すい台のように底面に傾斜した形態のヘルシー揚げ物用型である、円柱の底面より２〜３ｍｍ外側に向って広く大きく４方にだすことができる部分出す。意図は、ちょっと特殊な食品も小麦粉を溶いたものも粘着力があるためにヘルシー揚げ物用載置台から離れにくい素材である、このような場面をできるだけ回避したい意識がある、また、底面を出しすぎると揚げ物本体の見栄えも悪くする。【００２０】  次に、図面８・９では、直方体を台形の形態で底面が広いヘルシー揚げ物用型、内部を縦の区切りを作り食べやすいサイズにする、１度に沢山の柔らかい固形状態に作る事が可能であり、大勢の食べものを作る産業用に便利である。
図面９−１５はヘルシー揚げ物用材料載置台でヘルシー揚げ物用型より１周り大きく５〜８ｍｍ出しヘルシー揚げ物用型を安全に載せることができるように作る。このヘルシー揚げ物用材料載置台は平面形成で全体に細かい穴を満遍無く開ける、意図は、ヘルシー揚げ物用材料を固形状態に作った物を滑らせるのに適する面と天麩羅油の中に入れた場合には全体に天麩羅油が付くことで固形状態に作った物が離れやすくなる。【００２１】  次に、図面１０〜ＡＢでは、底面を広くした台形の形態と円すい台のように底面に広く傾斜の形態で型内部に縦の区切りと横の区切りを作り食べやすいサイズを沢山作る型。
次に、型と型の底面だけ接触した部分を接合した形態のヘルシー揚げ物用型。
次に、型と型の隣合う部分だけ垂直に立ち上げてその部分だけ接合した型。
ヘルシー揚げ物用の専用型は、［０００６］に記載した原型を元に底面を広げた型に柄を接合したヘルシー揚げ物用型である。
次に、柄と分離してヘルシー揚げ物用型だけ単独にお菓子作り用に、柄と分離してヘルシ−揚げ物用型を単独に粘土の型抜きに、年度の形作り用に使えるヘルシー揚げ物用型でも活用できる。
【図面の簡単な説明】
【００２２】
【図１】第１実施例のヘルシー揚げ物用トングの側面図。
【図２】ヘルシー揚げ物用トングの開いた側面図。
【図３】第２実施例のヘルシー揚げ物用トングの側面図。
【図４】ヘルシー揚げ物用トングの開いた側面図。
【図５】柄を立ち上げシーソーの形態部分の側面図。
【図６】ヘルシー揚げ物用型の原型。
【図７】ヘルシー揚げ物用型の原型。
【図８】ヘルシー揚げ物用型とヘルシー揚げ物用材料載置台の斜視図。
【図９】ヘルシー揚げ物用型とヘルシー揚げ物用材料載置台の斜視図。
0003142517.tif 000003
【符号の説明】
【００２３】  １、  ヘルシー揚げ物用型
２、  ヘルシー揚げ物用材料載置台
３、  柄の接合
４、  柄の接合
５、  柄
６、  柄
７、  持ち手
８、  持ち手
９、  凹凸の関係になる安全止め
１０、  凹凸の関係になる安全止め
１１、  支店
１２、  縦の区切り、横の区切り
１３、  縦の区切り、横の区切り
１４、  柄の立ち上げた部分
１５、  ヘルシー揚げ物用材料載置台の貫通穴
１６、  柄と柄の間隔
Ｘ、  ヘルシー揚げ物用のトングの開いた間隔
Ａ〜Ｌ  ヘルシー揚げ物用型、ヘルシー揚げ物用材料載置台
【図１】
0003142517.tif 000004
【図２】
0003142517.tif 000005
【図３】
0003142517.tif 000006
【図４】
0003142517.tif 000007
【図５】
0003142517.tif 000008
【図６】
0003142517.tif 000009
【図７】
0003142517.tif 000010
【図８】
0003142517.tif 000011
【図９】
0003142517.tif 000012
【図１０】
0003142517.tif 000013
【図１１】
0003142517.tif 000014
【図１２】
0003142517.tif 000015
【図１３】
0003142517.tif 000016
【図１４】
0003142517.tif 000017
【図１５】
0003142517.tif 000018
【図１６】
0003142517.tif 000019
【図１７】
0003142517.tif 000020
【図１８】
0003142517.tif 000021
【図１９】
0003142517.tif 000022
【図２０】
0003142517.tif 000023
【図２１】
0003142517.tif 000024
【図２２】
0003142517.tif 000025
【図２３】
0003142517.tif 000026
【図２４】
0003142517.tif 000027
【手続補正書】
【提出日】平成20年3月5日(2008.3.5)
【手続補正１】
【補正対象書類名】実用新案登録請求の範囲
【補正対象項目名】全文
【補正方法】変更
【補正の内容】
【実用新案登録請求の範囲】
【請求項１】
ヘルシー揚げ物用トングは、持ち手の支点１１の先に１対の柄５・６を延ばして、上の部分にヘルシー揚げ物用型１を、下の部分にヘルシー揚げ物用材料載置台２を接合した挟み器具を設け、ヘルシー揚げ物用型１を持ち上げ、柔らかい固形状態にした材料をヘルシー揚げ物用材料載置台２の上にのせ、ヘルシー揚げ物用型１をおろし、材料を型の形に形成し、ヘルシー揚げ物用型１を持ち上げて、材料を取り出し天麩羅油の中に入れて揚げる、持ち手７・８には凸部の安全止め９・１０を設け柄５・６が必要以上開かない為の安全対策を設けたことを特徴とするヘルシー揚げ物用トング。
【請求項２】
ヘルシー揚げ物用トングは、大小の持ち手７・８を分離するために柄の立ち上げ部分１４を設け、大きい持ち手の柄８の上に小さな持ち手の柄７を通し上下に動かせる方法で止める、１対の柄を伸ばした上部分はヘルシー揚げ物用型１を下の部分にヘルシー揚げ物用材料載置台２を接合し挟み器具を設け、ヘルシー揚げ物用型１を持ち上げ、柔らかい固形状態にした材料をヘルシー揚げ物用材料載置台２の上にのせ、ヘルシー揚げ物用型１をおろし、材料を型の形に形成し、ヘルシー揚げ物用型１を持ち上げて、材料を取り出し天麩羅油の中に入れて揚げる、柄の立ち上げ部分に支点を設け、持ち手７が開いた時に持ち手８の安全止めにあたり、柄５・６が必要以上開かない為の安全対策を設けたことを特徴とする請求項１記載のヘルシー揚げ物用トング。
【請求項３】
ヘルシー揚げ物用トングはヘルシー揚げ物用の専用型を設け、円すい台で、上の口径より下の口径が大きい円すい台や台形の形状をしたヘルシー揚げ物用型であり、ヘルシー揚げ物用の内部に縦や横の区切りを設け１度に沢山固形状態に作れるヘルシー揚げ物用型で内部の隣合う広げられない部分は現状維持とする請求項１または２記載のヘルシー揚げ物用トング。
【請求項４】
ヘルシー揚げ物用トングはヘルシー揚げ物用の専用型を持つ円すい台や台形のように底面に傾斜した形状のヘルシー揚げ物用型で底面同志が隣合う部分だけを接合して連結させた独特の形状をしたヘルシー揚げ物型、始めから連結した形状の１体成形も可能な請求項１〜３のいずれか一項に記載のヘルシー揚げ物用トング。
【請求項５】
ヘルシー揚げ物用トングのヘルシー揚げ物用型で請求項３に記載のヘルシー揚げ物用型と請求項４に記載のヘルシー揚げ物用型に柄をつけない単独で使う型、お菓子づくり用に、粘土の型抜きや型づくり用の単独に１個単位で利用できる請求項１〜４のいづれか一項に記載のヘルシー揚げ物用型。
【手続補正２】
【補正対象書類名】明細書
【補正対象項目名】００２２
【補正方法】変更
【補正の内容】
【００２２】
【図１】  第１実施例のヘルシー揚げ物用トングの側面図。
【図２】  ヘルシー揚げ物用トングの開いた則面図。
【図３】  第２実施例のヘルシー揚げ物用トングの側面図。
【図４】  ヘルシー揚げ物用トングの開いた側面図。
【図５】  柄を立ち上げシーソーの形態部分の側面図。
【図６】  ヘルシー揚げ物用型の原型。
【図７】  ヘルシー揚げ物用型の原型。
【図８】  ヘルシー揚げ物用型とヘルシー揚げ物用材料載置台の斜視図。
【図９】  ヘルシー揚げ物用型とヘルシー揚げ物用材料載置台の斜視図。
【図１０】  ヘルシー揚げ物用型の斜視図。
【図１１】  ヘルシー揚げ物用型の斜視図。
【図１２】  ヘルシー揚げ物用型の斜視図。
【図１３】  ヘルシー揚げ物用型の斜視図。
【図１４】  ヘルシー揚げ物用型の斜視図。
【図１５】  ヘルシー揚げ物用型の斜視図。
【図１６】  ヘルシー揚げ物用型の斜視図。
【図１７】  ヘルシー揚げ物用型の斜視図。
【図１８】  ヘルシー揚げ物用型の斜視図。
【図１９】  ヘルシー揚げ物の手順。
【図２０】  ヘルシー揚げ物の手順。
【図２１】  ヘルシー揚げ物の手順。
【図２２】  ヘルシー揚げ物の手順。
【図２３】  ヘルシー揚げ物の手順。
【図２４】  ヘルシー揚げ物の手順。